(57)【特許請求の範囲】
【請求項１】
水槽の上面を覆う大きさのシートの一端を前記水槽の一端部に固定すると共に、他端を両端が前記水槽の両側部に支持されるよう架設された開閉フレームの一側に連結し、前記シートの中央下面には両端が水槽両端部に固定されると共に、空気供給装置と接続された支持チューブを前記開閉フレームと直交する方向に配置し、前記開閉フレームの下面に前記支持チューブを挟着した状態で該支持チューブに沿って移動可能な挟着摺動装置を備え、前記空気供給装置から前記支持チューブのいずれか一端内に空気を加圧供給して前記開閉フレームを移動することによりシートの開閉を行うことを特徴とするエアーチューブ式開閉テント。
【請求項２】
シートの一端を固定する前記開閉フレームが、前記空気供給装置から流路を介して内部に空気を供給されるエアーチューブからなっている請求項１のエアーチューブ式開閉テント。
【請求項３】
シートの開閉フレームと平行な面に間隔を置いて複数の芯部材を介挿し、シートの両側縁外へ突出する前記芯部材の端部に、該芯部材端部を水槽の両側部へ係留するための係止具を備えている請求項１又は２のエアーチューブ式開閉テント。
【請求項４】
開閉フレームの下面に設けられる前記支持チューブの挟着摺動装置が、該支持チューブの長さ方向と直交する向きで該支持チューブの上下両面を密封状態に挟着する水平方向に配置された走行ローラと、これらの走行ローラ間に挟着される該支持チューブ偏平部の両側部外に垂直方向に配置された案内ローラとからなっている請求項１乃至３のいずれかに記載のエアーチューブ式開閉テント。
【発明の詳細な説明】
【０００１】
【発明の属する技術分野】
本発明は、貯水槽やプールなどの大型水槽の防塵用として使用される空気膜を利用した開閉式テントの改良に関するものである。
【０００２】
【従来の技術】
従来における空気膜を利用した開閉式のテントとしては、例えば、実開平６３−１１６７号に示されるように、シートを二重に形成してその間に空気を充填したものが知られており、これらの空気膜式のテントは、一般的に、テントの屋根部分を二重シートで覆ったのちシート内に空気を充填してシート全面域を空気圧で硬直化させることで、屋根の支持力を高めるというものである。
【０００３】
【発明が解決すべき課題】
しかしながら、従来におけるこのような空気膜式のテントは、シートの全面域に空気を充填すると共に、常に充填された空気を一定の圧力に保持しなければならないので、空気圧をコントロールする制御装置が大がかりになるばかりでなく、そのためのランニングコストが高くつくという問題点があった。
【０００４】
また、この種のテントの場合、シート内に空気を充填する際には、シートを全部展開して屋根部分を覆ったのちでなければ空気を充填できないため、シートを部分的に開いた状態にすることができないという問題点があった。
【０００５】
さらに、この種のテントでは、従来の開閉式テントと同様にシートにワイヤーなどを取り付け、このワイヤーを巻き上げることでシートの開閉を行うものであるため、シートにワイヤーとテント芯材とを接続するためのランナーや、このランナーを走行させるガイドレールなどの付属部材がしっかりと取り付けられていて、いったんシートが取り付けられたのちは、これらの付属部材を取り外さない限りシートの取り付け及び取り外し作業が容易に行えず、従って、補修や維持管理を能率的に行えないという問題点があった。
【０００６】
【課題を解決するための手段】
本発明は、従来におけるこの種のテントの問題点を解消し、空気圧の利用によりシートを支えるための全体構造が簡単で、シートを移動することによる水槽面の全面開閉、部分開閉が容易に行え、しかも補修や維持管理も能率的に行えるようにした開閉式テントの提供を目的としたものである。
【０００７】
本発明に係る請求項１の開閉式テントは、そのための具体的手段として、水槽の上面を覆う大きさのシートの一端を前記水槽の一端部に固定すると共に、他端を両端が前記水槽の両側部に支持されるよう架設された開閉フレームの一側に連結し、前記シートの中央下面には両端が水槽両端部に固定されると共に、空気供給装置と接続された支持チューブを前記開閉フレームと直交する方向に配置し、前記開閉フレームの下面に前記支持チューブを挟着した状態で該支持チューブに沿って移動可能な挟着摺動装置を備え、前記空気供給装置から前記支持チューブのいずれか一端内に空気を加圧供給して前記開閉フレームを移動することによりシートの開閉を行うことを特徴とする。
【０００８】
シートの一端を固定する前記開閉フレームとしては、前記空気供給装置から流路を介して内部に空気を供給されるエアーチューブにより構成することが好ましい。
【０００９】
また、シートは、開閉フレームと平行な面に間隔を置いて複数の芯部材を介挿し、シートの両側縁外へ突出する前記芯部材の端部に、該芯部材端部を水槽の両側部へ係留するための係止具を備えた構成とすることが好ましい。
【００１０】
さらに、開閉フレームの下面に設けられる前記支持チューブの挟着摺動装置としては、該支持チューブの長さ方向と直交する向きで該支持チューブの上下両面を密封状態に挟着する水平方向に配置された走行ローラと、これらの走行ローラ間に挟着される該支持チューブ偏平部の両側部外に垂直方向に配置された案内ローラとを備える構成とすることが好ましい。
【００１１】
【発明の実施の形態】
本発明に係る開閉式テントの好適な実施例について説明すると、この発明のエアーチューブ式開閉テント１は、図１乃至図３に示すように、被覆されるべき対象物、例えば貯水槽あるいはプールなどの水槽Ａの上面を覆うことができる大きさのシート２と、このシート２の一端に取り付けられた該シート２の開閉フレーム４と、シート２の下面に前記開閉フレーム４と直交する向きに配置された該シート２の中央部を下から支えるための支持チューブ５と、前記開閉フレーム４の下面において前記支持チューブ５の一部を挟着するように設けられた挟着摺動装置８と、前記支持チューブ５内に空気を送り込むための空気供給装置７とから基本的に構成されている。
【００１２】
前記水槽Ａの両端部には、前記シート２の両端を支える固定フレーム３ａ，３ｂが設けられていて、シート２の一端が一方の固定フレーム３ａに固定され、該シート２の他端に前記開閉フレーム４が水槽Ａの上面に沿って移動するように設けられている。
【００１３】
前記開閉フレーム４は、シート２の横幅と同じ長さ、つまり、両端が前記水槽Ａの両側部上に支持されるような長さをもったゴムあるいは合成樹脂製シートなどの可撓性素材からなるアーチ形のチューブにより形成されている。具体的には、両端部１１が水槽Ａの両側部に支持されるような長さを有する２本の梁状チューブ１０を、両端部１１において互いに内部が導通するように間隔をおいて平行に接続すると共に、これら梁状チューブ１０の間を間隔を置いて配置した複数本の接続チューブ１２により内部的に導通されるように接続することで構成されている。
【００１４】
この開閉フレーム４は、一方の端部１１が水槽Ａ外に配置された前記空気供給装置７とホース１３により接続されていて、該空気供給装置７から圧縮空気が供給充填されることで硬直化したフレームに形成され、内部に所定量の空気が充填されたのちは前記ホース１３は外されて、水槽Ａの上面を移動できるようになっている。
【００１５】
一方、シート２の下面に配置される前記支持チューブ５は、ゴムあるいは合成樹脂製シートなどの可撓性素材からなっていて、両端が水槽Ａの両端部の固定フレーム３ａ，３ｂに連結される長さを有し、水槽Ａ内の水面上にシート２の中央部を下から支えるように前記開閉フレーム４と直交する向きに配置されるが、シート２の中央部下面に配置された状態で内部に空気が充填されたときに、シート２がアーチ形もしくは山形に形成されるような十分な太さの直径を備えており、両端がホース６ａ，６ｂを介して水槽Ａ外に配置された前記空気供給装置７と接続されている。
【００１６】
また、図１及び図４に示すように、前記開閉フレーム４の中央下面には、前記支持チューブ５の一部を挟着するための挟着摺動装置８が設けられている。この挟着摺動装置８は、開閉フレーム４の下面に支持された一対の軸受け１９を介して支持チューブ５の長さ方向と直交する向きで該支持チューブ５の上下両面を密閉状態に挟着する水平方向に配置された上下一対の走行ローラ１７と、これらの走行ローラ１７間に挟着される該支持チューブ５の偏平部５ａの両側部外に垂直方向に配置された左右一対の案内ローラ１８とからなっている。
【００１７】
図４のように、支持チューブ５の一部を前記挟着摺動装置８の上下一対の走行ローラ１７により挟着して密閉状の偏平部５ａを形成すると、この偏平部５ａの両側に加圧室９ａ，９ｂが設けられるので、前記空気供給装置７によっていずれか一方の加圧室例えば９ａ内に空気を圧入すると共に、他方の加圧室９ｂ内の空気を排出すると、挟着摺動装置８とこれを取り付けた前記開閉フレーム４が図面の左側方向から右側方向へ移動することになり、該開閉フレーム４に一端を取り付けられたシート２が該開閉フレーム４の移動方向へ移動される。
【００１８】
前記シート２は、織布に樹脂コーティングなどの加工処理を施した所謂テント地が好ましく、図５に示すように、前記開閉フレーム４と平行な面に間隔を置いて、グラスファイバーあるいはピアノ線などからなる複数本の芯部材１４が設けられていて、シート２の両側縁外へ突出する前記芯部材１４の端部に取り付けられた止め環などの係止具１５が水槽Ａの両側部に沿って設けられた係止バー１６に夫々摺動可能に係止されている。
【００１９】
前記支持チューブ５及び開閉フレーム４に空気を供給充填するための前記空気供給装置７には、ポンプ２０及びコンプレッサー２１とこれらの機器の制御機構が内蔵されている。なお、上記実施例では、前記支持チューブ５及び開閉フレーム内に空気を供給するものとして説明したが、空気に限られることはなく窒素ガスなど軽い気体であってもよい。
【００２０】
本発明に係るエアーチューブ式開閉シート２について、シートを閉じるときの操作を説明すると、図１に示すように、シート２が水槽Ａの一方の固定フレーム３ａ側に収縮された状態において、前記支持チューブ５及び開閉フレーム４内に夫々空体供給装置７から空気を供給して、いずれも内部に所定の圧力が保持されるように膨らませる。
【００２１】
支持チューブ５は、シート２が水槽Ａの一方の固定フレーム３ａ側に収縮された状態のとき、挟着摺動装置８が支持チューブ５の前記固定フレーム３ａ側に位置しているので、空体供給装置７のコンプレッサー２１により該支持チューブ５内へ空気を供給する際に、他方の固定フレーム３ｂ側のホース６ｂからの空気供給量を多くし、挟着摺動装置８の両側における圧力室９ａ，９ｂ内の空気圧を均等にして、挟着摺動装置８が移動しないようにする。
【００２２】
この状態で、空体供給装置７のポンプ２０により、挟着摺動装置８が位置している固定フレーム３ａ側のホース６ａを通して圧力室９ａ内へ空気を圧入すると共に、他方の圧力室９ｂ内の空気をホース６ｂを通して空体供給装置７のタンク側へ排出させると、圧力室９ａ内への空気圧が高まるにつれて挟着摺動装置８が圧力室９ｂ方向へ移動することになり、この挟着摺動装置８の移動に伴って開閉フレーム４が移動することでシート２も移動し、最終的に図２に示すように、シート２で水槽Ａの上面全域を閉じるように被覆することができる。なお、シート２を閉じ終えたのちは、シート２の両側縁における端部係止具１５を水槽Ａの両側部の係止バー１６に係止して、強風によりシート２が捲くれ上がらないようにする。
【００２３】
一方、シート２を開いて、図１に示すような状態とする場合には、前記とは逆に、空体供給装置７のポンプ２０により、挟着摺動装置８が位置している固定フレーム３ｂ側のホース６ｂを通して圧力室９ｂ内へ空気を圧入すると共に、他方の圧力室９ａ内の空気をホース６ａを通して空体供給装置７のタンク側へ排出させると、圧力室９ｂ内への空気圧が高まるにつれて挟着摺動装置８が圧力室９ａ方向へ移動することになり、この挟着摺動装置８の移動に伴って開閉フレーム４と共にシート２が固定フレーム３ａの方向へ移動して、最終的に図１に示すように、シート２が水槽Ａの固定フレーム３ａ側に収縮した状態で開放されることになる。
【００２４】
【発明の効果】
以上に述べたように、本発明に係る開閉式テントでは、水槽などの上面を覆う大きさのシート２の長さ方向の一端に開閉フレーム４を設けると共に、水槽内の水面上には前記開閉フレーム４と直交する向きの支持チューブ５を浮かせて、この開閉フレーム４の下面に設けた挟着摺動装置８により支持チューブ５の一部を摺動可能なるように挟着したので、支持チューブ５の挟着摺動装置８による挟着部の両側に設けられるいずれか一方の圧力室９ａ，９ｂ内に空体を圧入することで、挟着摺動装置８を介して開閉フレーム４を移動することができ、この開閉フレーム４の移動に伴ってシート２を自由に開閉することができる。
【００２５】
また、この開閉式テントでは、シート２の下面中央部を水面に浮かせた支持チューブ５によって下面から支えるので、シート２を水槽の上面に展開したときも収縮して折り畳んだときも安全に支持することができ、しかもこの支持チューブ５を直径の大きなものとすれば、シート２をアーチ形もしくは山形にして雨水の滞留を防止することができる。
【００２６】
さらに、この開閉式テントでは、支持チューブ５に挟着した挟着摺動装置８を支持チューブ５におけるいずれか一方の圧力室９ａ，９ｂ内へ空気を圧入することで自由に移動できるので、空気供給装置７による空気供給量の調整操作によって、開閉フレーム４を所望な位置に設定でき、従ってシート２の開口面積を自由に設定できると共に、シート２の開閉が円滑に行え、しかもシート２の展開時は支持チューブ５内の空気圧を保持しておくだけでよいのでランニングコストが低廉で経済的であるという効果を有する。
【００２７】
また、このテントは、水槽に固定的に設ける付帯設備としては、水槽の両端部の固定フレーム３ａ，３ｂと両側部の係止バー１６を設けるだけで足りるという利点を有すると共に、テントの取り付けに際しては、シート２の一端を一方の固定フレーム３ａに固定することと、支持チューブ５を水面上に配置して両端を両方の固定フレーム３ａ，３ｂに固定し、支持チューブ５の両端を空気供給装置７とホースにより接続するだけの簡単な作業で足り、これらの取り外し作業も簡単に行えるので、水槽の清掃や水質保全作業にも適切に対応できるという効果を有する。
【００２８】
なお、上記の実施例で述べたように、シート２の一端を固定する開閉フレーム４をエアーチューブにより構成した場合は、開閉フレームの重量を軽量化できると共に、補修の際に折り畳み収納できるので保管に便利であるという利点を有するが、この開閉フレームは必ずしもエアーチューブによるものに限られることはなく、金属製パイプにより構成したものであってもよい。
【図面の簡単な説明】
【図１】本発明に係る開閉式テントのシートを開いた状態の全体斜視図。
【図２】シートを閉じた状態の全体斜視図。
【図３】図２のＢ−Ｂ線に沿った断面図。
【図４】支持チューブと開閉フレーム及び挟着摺動装置の構成を示す部分断面図。
【図５】シートの側縁部と水槽側部との構成を示す部分斜視図。
【符号の説明】
１：開閉式テント
２：シート
３ａ，３ｂ：固定フレーム
４：開閉フレーム
５：支持チューブ
５ａ：支持チューブ偏平部
６ａ，６ｂ：ホース
７：空気供給装置
８：挟着摺動装置
９ａ，９ｂ：圧力室
１０：梁状チューブ
１２：接続チューブ
１３：ホース
１４：芯部材
１５：係止具
１６：係止バー
１７：走行ローラ
１８：案内ローラ
１９：軸受け
２０：ポンプ
２１：コンプレッサー
【図１】
0003905213.tif 000002
【図２】
0003905213.tif 000003
【図３】
0003905213.tif 000004
【図４】
0003905213.tif 000005
【図５】
0003905213.tif 000006